(57)【要約】  本開示のいくつかの態様は、一般に、ＣＳＩレポートのビットを生成および符号化するための方法および装置に関する。いくつかの場合には、ＵＥが、サポートされるランクに少なくとも部分的に基づいてチャネル状態情報（ＣＳＩ）報告のためのペイロードサイズを決定することと、決定されたペイロードサイズに基づいてＣＳＩ報告のためのパケット長を計算することと、コーディングされたパケットを生成するために、ペイロードサイズおよび計算されたパケット長に基づいて、選択されたＣＳＩリソースインデックス（ＣＲＩ）について前記ＣＳＩを符号化することとを行うことができる。
2020536435.tif 000002
【特許請求の範囲】
【請求項１】
サポートされるランクに少なくとも部分的に基づいてチャネル状態情報（ＣＳＩ）報告のためのペイロードサイズを決定することと、
前記決定されたペイロードサイズに基づいて前記ＣＳＩ報告のためのパケット長を計算することと、
コーディングされたパケットを生成するために、前記ペイロードサイズおよび前記計算されたパケット長に基づいて、選択されたＣＳＩリソースインデックス（ＣＲＩ）について前記ＣＳＩを符号化することと
を備える、ワイヤレス通信のための方法。
【請求項２】
前記ＣＳＩ報告のための前記ペイロードサイズが、前記選択されたＣＲＩについての最大ＣＳＩビット数（maximum number of CSI bits）に基づく、請求項１に記載の方法。
【請求項３】
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、請求項２に記載の方法。
【請求項４】
前記選択されたＣＲＩについての前記最大ＣＳＩビット数がルックアップテーブル（lookup table）から得られる、請求項２に記載の方法。
【請求項５】
前記符号化することが、前記選択されたＣＲＩにかかわらず前記パケット長が同じであることを確実にするためにパディングビットを含めることを備える、請求項１に記載の方法。
【請求項６】
前記符号化することが、１つのＣＲＩのみが考慮される場合にＣＲＩフィールドを省略することを備える、請求項１に記載の方法。
【請求項７】
前記符号化することが、前記選択されたＣＲＩについての前記サポートされるランクが１である場合にランクインジケータ（ＲＩ）フィールドを省略することを備える、請求項１に記載の方法。
【請求項８】
前記符号化することが、少なくともポーラ符号について、前記コーディングされたパケット中のＣＳＩビットを情報ビット位置に昇順でマッピングすることを備える、請求項１に記載の方法。
【請求項９】
サポートされるランクに少なくとも部分的に基づいてチャネル状態情報（ＣＳＩ）報告のためのペイロードサイズを決定するための手段と、
前記決定されたペイロードサイズに基づいて前記ＣＳＩ報告のためのパケット長を計算するための手段と、
コーディングされたパケットを生成するために、前記ペイロードサイズおよび前記計算されたパケット長に基づいて、選択されたＣＳＩリソースインデックス（ＣＲＩ）について前記ＣＳＩを符号化するための手段と
を備える、ワイヤレス通信のための装置。
【請求項１０】
前記ＣＳＩ報告のための前記ペイロードサイズが、前記選択されたＣＲＩについての最大ＣＳＩビット数に基づく、請求項９に記載の装置。
【請求項１１】
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、請求項１０に記載の装置。
【請求項１２】
前記選択されたＣＲＩについての前記最大ＣＳＩビット数がルックアップテーブルから得られる、請求項１０に記載の装置。
【請求項１３】
前記符号化するための手段が、前記選択されたＣＲＩにかかわらず前記パケット長が同じであることを確実にするためにパディングビットを含めるための手段を備える、請求項９に記載の装置。
【請求項１４】
前記符号化するための手段が、１つのＣＲＩのみが考慮される場合にＣＲＩフィールドを省略するための手段を備える、請求項９に記載の装置。
【請求項１５】
前記符号化するための手段が、前記選択されたＣＲＩについての前記サポートされるランクが１である場合にランクインジケータ（ＲＩ）フィールドを省略するための手段を備える、請求項９に記載の装置。
【請求項１６】
前記符号化するための手段が、少なくともポーラ符号について、前記コーディングされたパケット中のＣＳＩビットを情報ビット位置に昇順でマッピングするための手段を備える、請求項９に記載の装置。
【請求項１７】
サポートされるランクに少なくとも部分的に基づいてチャネル状態情報（ＣＳＩ）報告のためのペイロードサイズを決定することと、前記決定されたペイロードサイズに基づいて前記ＣＳＩ報告のためのパケット長を計算することと、コーディングされたパケットを生成するために、前記ペイロードサイズおよび前記計算されたパケット長に基づいて、選択されたＣＳＩリソースインデックス（ＣＲＩ）について前記ＣＳＩを符号化することとを行うように構成された少なくとも１つのプロセッサと、
前記コーディングされたパケットを送信するように構成された送信機と
を備える、ワイヤレス通信のための装置。
【請求項１８】
前記ＣＳＩ報告のための前記ペイロードサイズが、前記選択されたＣＲＩについての最大ＣＳＩビット数に基づく、請求項１７に記載の装置。
【請求項１９】
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、請求項１８に記載の装置。
【請求項２０】
前記選択されたＣＲＩについての前記最大ＣＳＩビット数がルックアップテーブルから得られる、請求項１８に記載の装置。
【請求項２１】
前記符号化することが、前記選択されたＣＲＩにかかわらず前記パケット長が同じであることを確実にするためにパディングビットを含めることを備える、請求項１７に記載の装置。
【請求項２２】
前記符号化することが、１つのＣＲＩのみが考慮される場合にＣＲＩフィールドを省略することを備える、請求項１７に記載の装置。
【請求項２３】
前記符号化することが、前記選択されたＣＲＩについての前記サポートされるランクが１である場合にランクインジケータ（ＲＩ）フィールドを省略することを備える、請求項１７に記載の装置。
【請求項２４】
前記符号化することが、少なくともポーラ符号について、前記コーディングされたパケット中のＣＳＩビットを情報ビット位置に昇順でマッピングすることを備える、請求項１７に記載の装置。
【請求項２５】
サポートされるランクに少なくとも部分的に基づいてチャネル状態情報（ＣＳＩ）報告のためのペイロードサイズを決定することと、
前記決定されたペイロードサイズに基づいて前記ＣＳＩ報告のためのパケット長を計算することと、
コーディングされたパケットを生成するために、前記ペイロードサイズおよび前記計算されたパケット長に基づいて、選択されたＣＳＩリソースインデックス（ＣＲＩ）について前記ＣＳＩを符号化することと
を行うための命令が記憶されたコンピュータ可読媒体。
【発明の詳細な説明】
【技術分野】
【０００１】
関連出願の相互参照および優先権主張
[0001]  本出願は、２０１７年１０月２日に出願された国際特許協力条約出願第ＰＣＴ／ＣＮ２０１７／１０５２３７号の利益および優先権を主張するものであり、このＰＣＴ出願は、本出願の譲受人に譲渡され、また、以下に完全に記載されているかのようにあらゆる適用目的で参照により本明細書に明確に組み込まれる。
【０００２】
[0002]  本開示のいくつかの態様は、一般に、チャネル状態情報（ＣＳＩ：channel state information）の送信およびＣＳＩのビットの符号化に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  いくつかの例では、ワイヤレス多元接続通信システムは、場合によってはユーザ機器（ＵＥ：user equipment）として知られる、複数の通信デバイスのための通信を各々が同時にサポートする、いくつかの基地局を含み得る。ＬＴＥまたはＬＴＥ−Ａネットワークでは、１つまたは複数の基地局のセットがｅノードＢ（ｅＮＢ）を定義し得る。他の例では（たとえば、次世代または５Ｇネットワークでは）、ワイヤレス多元接続通信システムは、いくつかの中央ユニット（ＣＵ：central unit）（たとえば、中央ノード（ＣＮ：central node）、アクセスノードコントローラ（ＡＮＣ： access node controller）など）と通信しているいくつかの分散型ユニット（ＤＵ： distributed unit）（たとえば、エッジユニット（ＥＵ： edge unit）、エッジノード（ＥＮ：edge node）、無線ヘッド（ＲＨ：radio head）、スマート無線ヘッド（ＳＲＨ：smart radio head）、送信受信ポイント（ＴＲＰ：transmission reception point）など）を含み得、ここで、中央ユニットと通信している１つまたは複数の分散型ユニットのセットは、アクセスノード（たとえば、新無線基地局（ＮＲ  ＢＳ：new radio base station）、新無線ノードＢ（ＮＲ  ＮＢ：new radio node-B）、ネットワークノード、５Ｇ  ＮＢ、ｇＮＢなど）を定義し得る。基地局またはＤＵは、（たとえば、基地局からまたはＵＥへの送信のために）ダウンリンクチャネル上で、および（たとえば、ＵＥから基地局または分散型ユニットへの送信のために）アップリンクチャネル上でＵＥのセットと通信し得る。
【０００５】
[0005]  これらの多元接続技術は、異なるワイヤレスデバイス（wireless device）が都市、国家、地域、さらには地球規模で通信することを可能にする共通プロトコルを与えるために様々な電気通信規格において採用されている。新生の電気通信規格の例は、新無線（ＮＲ：new radio）、たとえば、５Ｇ無線アクセスである。ＮＲは、第３世代パートナーシッププロジェクト（３ＧＰＰ（登録商標））によって公表されたＬＴＥモバイル規格の向上のセットである。ＮＲは、スペクトル効率を改善することと、コストを下げることと、サービスを改善することと、新しいスペクトルを利用することと、ダウンリンク（ＤＬ：downlink）上でおよびアップリンク（ＵＬ：uplink）上でサイクリックプレフィックス（ＣＰ：cyclic prefix）を用いたＯＦＤＭＡを使用して他のオープン規格とより良く統合することとによってモバイルブロードバンドインターネットアクセスをより良くサポートし、ならびにビームフォーミング、多入力多出力（ＭＩＭＯ：multiple-input multiple-output）アンテナ技術、およびキャリアアグリゲーションをサポートするように設計されている。
【０００６】
[0006]  加えて、ＮＲは、データの送受信を改善する新しい符号化および復号方式を導入すると予期される。たとえば、現在、ポーラ符号（polar code）が、ＮＲなどの次世代ワイヤレスシステムにおける誤り訂正の候補と考えられている。ポーラ符号は、コーディング理論における比較的最近の飛躍的進歩であり、シャノン容量（Shannon capacity）を漸近的に（無限大に近づく符号サイズＮについて）達成することが証明されている。しかしながら、大きい値のＮではポーラ符号はうまく機能するが、より小さい値のＮの場合は、ポーラ符号は不十分な最小距離（minimum distance）を被り、逐次除去リスト（ＳＣＬ：successive cancellation list）復号などの技法の開発につながっている。これらの技法は、ポーラ内符号（polar inner code）に加えて、ＣＲＣやパリティチェック（parity-check）などの優れた最小距離を有する単純な外符号（outer code）を活用し、したがって、組み合わせられた符号は優れた最小距離を有する。
【０００７】
[0007]  しかしながら、モバイルブロードバンドアクセスに対する需要が増加し続けるのにつれて、ＮＲのための符号化および復号技法の改善など、ＮＲ技術のさらなる改善が必要とされている。好ましくは、これらの改善は、他の多元接続技術と、これらの技術を採用する電気通信規格とに適用可能であるべきである。
【発明の概要】
【０００８】
[0008]  説明される技術の基本的な理解を提供するために、本開示のいくつかの態様を以下に要約する。この要約は、本開示の企図されるすべての特徴の広範な概観ではなく、本開示のすべての態様の重要なまたはクリティカルな要素を識別するように意図されるものでも、また本開示のいずれかまたはすべての態様の範囲を示すように意図されるものでもない。この要約の唯一の目的は、本開示の１つまたは複数の態様のいくつかの概念を、後で提示されるより詳細な記述の前置きとして要約の形で提示することである。
【０００９】
[0009]  本開示のいくつかの態様は、本開示のいくつかの態様によるワイヤレス通信（wireless communication）のための方法を提供する。この方法は一般に、サポートされるランク（supported rank）に少なくとも部分的に基づいてチャネル状態情報（ＣＳＩ）報告のためのペイロードサイズ（payload size）を決定することと、決定されたペイロードサイズ（determined payload size）に基づいてＣＳＩ報告のためのパケット長（packet length）を計算することと、コーディングされたパケット（coded packet）を生成するために、ペイロードサイズおよび計算されたパケット長（calculated packet length）に基づいて、選択されたＣＳＩリソースインデックス（ＣＲＩ：CSI resource index）についてＣＳＩを符号化する（encode）こととを含む。
【００１０】
[0010]  これらの技法は、方法、装置、およびコンピュータプログラム製品（computer program product）において具体化され得る。本発明の他の態様、特徴、および実施形態は、本発明の具体的な例示的実施形態に関する後続の記述を添付図とともに検討すれば、当業者には明らかになるであろう。以下では本発明の特徴がいくつかの実施形態および図に関して説明されることがあるが、本発明のすべての実施形態は、本明細書で説明される有利な特徴の１つまたは複数を含むことができる。言い換えれば、いくつかの有利な特徴を有するものとして１つまたは複数の実施形態が説明されることがあるが、そのような特徴の１つまたは複数はまた、本明細書で説明される本発明の様々な実施形態により使用され得る。同様にして、以下では例示的な実施形態がデバイス、システム、または方法実施形態として説明されることがあるが、そのような例示的な実施形態は、様々なデバイス、システム、および方法において実装されることが可能であることを理解されたい。
【００１１】
[0011]  本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１２】
【図１】[0012]  本開示のいくつかの態様による、例示的な電気通信システムを概念的に示すブロック図。
【図２】[0013]  本開示のいくつかの態様による、分散型ＲＡＮの例示的な論理アーキテクチャ（logical architecture）を示すブロック図。
【図３】[0014]  本開示のいくつかの態様による、分散型ＲＡＮの例示的な物理アーキテクチャ（physical architecture）を示す図。
【図４】[0015]  本開示のいくつかの態様による、例示的なＢＳおよびユーザ機器（ＵＥ）の設計を概念的に示すブロック図。
【図５】[0016]  本開示のいくつかの態様による、通信プロトコルスタック（communication protocol stack）を実装するための例を示す図。
【図６】[0017]  本開示のいくつかの態様による、例示的なワイヤレスデバイス（）のブロック図。
【図７】[0018]  本開示のいくつかの態様による、ＤＬセントリックサブフレーム（DL-centric subframe）の一例を示す図。
【図８】[0019]  本開示のいくつかの態様による、ＵＬセントリックサブフレーム（UL-centric subframe）の一例を示す図。
【図９】[0020]  本開示のいくつかの態様による、ワイヤレス通信のための例示的な動作を示す図。
【図１０】[0021]  本開示のいくつかの態様による、最大ＣＳＩペイロードの決定に使用され得る例示的な表を示す図。
【図１１】[0022]  本開示のいくつかの態様による、符号化されたビットの例示的なマッピング（mapping）を示す図。
【発明を実施するための形態】
【００１３】
[0023]  理解を容易にするために、可能な場合、各図に共通である同じ要素を指定するために同じ参照番号が使用されている。一実施形態において開示される要素が、特定の具陳なしに他の実施形態に対して有益に利用され得ることが企図される。
【００１４】
[0024]  本開示の態様は、情報のビットを符号化するための装置、方法、処理システム、およびコンピュータ可読媒体（computer readable medium）を提供する。そのような符号化は、たとえば、圧縮（compression）もしくは記憶（storage）のために、または、ワイヤレスネットワークを含むネットワーク中での送信のために使用されることが可能である。たとえば、そのような符号化は、新無線（ＮＲ）（新しい無線アクセス技術または５Ｇ技術）ワイヤレス通信システムに採用され得る。本開示の態様はワイヤレス通信システムとの関係で提案されるが、本明細書で提示される技法はそのようなワイヤレス通信システムに限定されないことを理解されたい。たとえば、本明細書で提示される技法は、圧縮もしくは記憶に、または、ファイバ通信システムや配線式の銅通信システム（hard-wire copper communication system）など他の通信システムに、等しく適用され得る。言い換えれば、本明細書で提示される技法は、符号化器（encoder）を使用する任意のシステムに適用され得る。
【００１５】
[0025]  ＮＲは、（たとえば、８０ＭＨｚを超える）広帯域幅をターゲットにする拡張型モバイルブロードバンド（ｅＭＢＢ）、高いキャリア周波数（たとえば、２７ＧＨｚまたはそれを超える）をターゲットするミリメートル波（ｍｍＷ）、非後方互換性ＭＴＣ技法をターゲットにするマッシブＭＴＣ（ｍＭＴＣ）、および／または超信頼型低レイテンシ通信（ＵＲＬＬＣ：ultra reliable low latency communications）をターゲットにするミッションクリティカルななど、様々なワイヤレス通信サービスをサポートし得る。これらのサービスは、レイテンシおよび信頼性要件を含み得る。これらのサービスは、それぞれのサービス品質（ＱｏＳ）要件を満たすために、異なる送信時間間隔（ＴＴＩ：transmission time interval）をも有し得る。さらに、これらのサービスは、同じサブフレームにおいて共存し得る。
＜例示的なワイヤレス通信システム＞
[0026]  本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上無線アクセス（ＵＴＲＡ）やｃｄｍａ２０００などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースであり、ダウンリンク上でＯＦＤＭＡを採用し、アップリンク上でＳＣ−ＦＤＭＡを採用する。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、ワイヤレスネットワークおよび無線技術に使用され得る加えて、本明細書で提示される技法は、ファイバネットワークや配線式「銅」ネットワークなど、他の様々な非ワイヤレス通信ネットワーク中で、または、デジタル記憶もしくは圧縮において使用され得る。言い換えれば、本明細書で提示される技法は、符号化器を含む任意のシステム中で使用され得る。
【００１６】
[0027]  図１は、新無線（ＮＲ）または５Ｇネットワークなどの例示的なワイヤレスネットワーク１００を示し、このネットワーク中で、たとえばポーラ符号のための最尤（ＭＬ：maximum-likelihood）復号の探索空間（search space）を縮小するために、本開示の態様が実施され得る。いくつかの場合には、ネットワーク１００は、ファイバネットワークや配線式「銅」ネットワークなどであり得る。
【００１７】
[0028]  図１に示されているように、ワイヤレスネットワーク１００は、いくつかのＢＳ１１０と他のネットワークエンティティとを含み得る。ＢＳはＵＥと通信する局であり得る。各ＢＳ１１０は、特定の地理的エリアに通信カバレージを提供し得る。３ＧＰＰでは、「セル（cell）」という用語は、この用語が使用されるコンテキストに応じて、ノードＢ１１０のカバレージエリアおよび／またはこのカバレージエリアをサービスするノードＢサブシステムを指すことがある。ＮＲシステムでは、「セル」およびｅＮＢ、ノードＢ、５Ｇ  ＮＢ、ＡＰ、ＮＲ  ＢＳ、ＮＲ  ＢＳ、ＢＳ、またはＴＲＰという用語は互換性があり得る。いくつかの例では、セルは、必ずしも固定であるとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通して互いに、および／またはワイヤレスネットワーク１００における１つまたは複数の他の基地局またはネットワークノード（図示せず）に相互接続され得る。
【００１８】
[0029]  概して、任意の数のワイヤレスネットワークが所与の地理的エリア中に展開され得る。各ワイヤレスネットワークは、特定の無線アクセス技術（ＲＡＴ：radio access technology）をサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、マルチスライスネットワークアーキテクチャ（multi-slice network architecture）を採用するＮＲまたは５Ｇ  ＲＡＴネットワークが展開され得る。
【００１９】
[0030]  ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（たとえば、３つの）セルをサポートし得る。
【００２０】
[0031]  ワイヤレスネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれることもある。
【００２１】
[0032]  ワイヤレスネットワーク１００は、異なるタイプのＢＳ、たとえば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００２２】
[0033]  ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明される技法は、同期動作と非同期動作の両方のために使用され得る。
【００２３】
[0034]  ネットワークコントローラ１３０は、ＢＳのセットに結合し、これらのＢＳの協調および制御を行い得る。ネットワークコントローラ１３０は、バックホール（backhaul）を介してＢＳ１１０と通信し得る。ＢＳ１１０はまた、たとえば、ワイヤレスバックホールまたはワイヤラインバックホールを介して直接または間接的に互いに通信し得る。
【００２４】
[0035]  ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ：Customer Premises Equipment）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／デバイス、スマートウォッチ、スマートクロージング、スマートグラス、スマートリストバンドなどのウェアラブルデバイス、スマートジュエリー（たとえば、スマートリング、スマートブレスレットなど）、エンターテインメントデバイス（たとえば、音楽デバイス、ビデオデバイス、衛星ラジオなど）、車両コンポーネントもしくはセンサー、スマートメーター／センサー、産業用製造装置、全地球測位システムデバイス、またはワイヤレスもしくはワイヤード媒体を介して通信するように構成された任意の他の好適なデバイスと呼ばれることもある。いくつかのＵＥは、発展型もしくはマシンタイプ通信（ＭＴＣ：machine-type communication）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティ（entity）と通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ：Internet-of-Things）デバイスと見なされ得る。
【００２５】
[0036]  図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００２６】
[0037]  いくつかのワイヤレスネットワーク（たとえば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック（resource block）」と呼ばれる）最小リソース割振りは１２個のサブキャリア（あるいは１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２７】
[0038]  本明細書で説明される例の態様は、ＬＴＥ技術に関連し得るが、本開示の態様は、ＮＲ／５Ｇなど、他のワイヤレス通信システムを用いて適用可能であり得る。
【００２８】
[0039]  ＮＲは、アップリンクおよびダウンリンク上でＣＰを用いたＯＦＤＭを利用し、ＴＤＤを使用する半二重動作のためのサポートを含み得る。１００ＭＨｚの単一のコンポーネントキャリア帯域幅がサポートされ得る。ＮＲリソースブロックは、０．１ｍｓ持続時間にわたる７５ｋＨｚのサブキャリア帯域幅をもつ１２個のサブキャリアをスパンし得る。各無線フレームは、１０ｍｓの長さを有し、２つの半フレームからなり得、各半フレームは、１ｍｓの長さを各々有する５つのサブフレームを備える。各サブフレームは、データ送信のためのリンク方向（すなわち、ＤＬまたはＵＬ）を示し得、各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および図７に関して以下でより詳細に説明される通りであり得る。ビームフォーミングがサポートされ得、ビーム方向は動的に構成され得る。プリコーディングを用いたＭＩＭＯ送信もサポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセル（serving cell）を用いてサポートされ得る。代替的に、ＮＲは、ＯＦＤＭベース以外の、異なるエアインターフェースをサポートし得る。ＮＲネットワークは、エンティティそのようなＣＵおよび／またはＤＵを含み得る。
【００２９】
[0040]  いくつかの例では、エアインターフェースへのアクセスがスケジュールされ得、ここにおいて、スケジューリングエンティティ（たとえば、基地局）は、それのサービスエリアまたはセル内の一部または全部のデバイスおよび機器の間の通信にリソースを割り振る。本開示内では、以下でさらに説明されるように、スケジューリングエンティティは、１つまたは複数の下位エンティティのためのリソースをスケジュールし、割り当て、再構成し、解放することを担当し得る。すなわち、スケジュールされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥは、１つまたは複数の下位エンティティ（たとえば、１つまたは複数の他のＵＥ）のためのスケジューリングエンティティ、スケジューリングリソースとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００３０】
[0041]  したがって、時間周波数リソースへのスケジュールされたアクセスを用いた、セルラー構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００３１】
[0042]  上述のように、ＲＡＮはＣＵおよびＤＵを含み得る。ＮＲ  ＢＳ（たとえば、ｇＮＢ、５ＧノードＢ、ノードＢ、送信受信ポイント（ＴＲＰ）、アクセスポイント（ＡＰ：access point））は、１つまたは複数のＢＳに対応し得る。ＮＲセルは、アクセスセル（ＡＣｅｌｌ：access cell）またはデータオンリーセル（ＤＣｅｌｌ：data only cell）として構成され得る。たとえば、ＲＡＮ（たとえば、中央ユニットまたは分散型ユニット）がセルを構成し得る。ＤＣｅｌｌは、キャリアアグリゲーションまたはデュアル接続性のために使用されるが、初期アクセス、セル選択／再選択、またはハンドオーバのために使用されないセルであり得る。いくつかの場合には、ＤＣｅｌｌは同期信号を送信しないことがあり、いくつかの場合場合には、ＤＣｅｌｌはＳＳを送信することがある。ＮＲ  ＢＳは、セルタイプを示すダウンリンク信号をＵＥに送信し得る。セルタイプ指示に基づいて、ＵＥは、ＮＲ  ＢＳと通信し得る。たとえば、ＵＥは、示されたセルタイプに基づくセル選択、アクセス、ハンドオーバ、および／または測定のために考慮すべきＮＲ  ＢＳを決定し得る。
【００３２】
[0043]  図２は、図１に示されているワイヤレス通信システムにおいて実装され得る、分散型無線アクセスネットワーク（ＲＡＮ：radio access network）２００の例示的な論理アーキテクチャを示す。５Ｇアクセスノード２０６は、アクセスノードコントローラ（ＡＮＣ）２０２を含み得る。ＡＮＣは、分散型ＲＡＮ２００の中央ユニット（ＣＵ）であり得る。次世代コアネットワーク（ＮＧ−ＣＮ）２０４へのバックホールインターフェースは、ＡＮＣにおいて終端し得る。ネイバリング次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、または何らかの他の用語で呼ばれることもある）１つまたは複数のＴＲＰ２０８を含み得る。上記で説明されたように、ＴＲＰは、「セル」と互換的に使用され得る。
【００３３】
[0044]  ＴＲＰ２０８はＤＵであり得る。ＴＲＰは、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＤ配置の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００３４】
[0045]  ローカルアーキテクチャ（local architecture）２００は、フロントホール定義（fronthaul definition）を示すために使用され得る。異なる展開タイプにわたってフロントホーリングソリューション（fronthauling solution）をサポートするアーキテクチャが定義され得る。たとえば、アーキテクチャは、送信ネットワーク能力（transmit network capability）（たとえば、帯域幅（bandwidth）、レイテンシ（latency）、および／またはジッタ（jitter））に基づき得る。
【００３５】
[0046]  アーキテクチャは、ＬＴＥと特徴および／または構成要素を共有し得る。態様によれば、次世代ＡＮ（ＮＧ−ＡＮ）２１０は、ＮＲとのデュアル接続性をサポートし得る。ＮＧ−ＡＮは、ＬＴＥおよびＮＲについて共通フロントホールを共有し得る。
【００３６】
[0047]  アーキテクチャは、ＴＲＰ２０８間の協働を可能にし得る。たとえば、協働は、ＡＮＣ２０２を介してＴＲＰ内でおよび／またはＴＲＰにわたってプリセットされ得る。態様によれば、ＴＲＰ間インターフェースは、必要とされない／存在しないことがある。
【００３７】
[0048]  態様によれば、分割された論理機能の動的構成が、アーキテクチャ２００内に存在し得る。図５を参照しながらより詳細に説明されるように、無線リソース制御（ＲＲＣ：Radio Resource Control）レイヤ、パケットデータコンバージェンスプロトコル（ＰＤＣＰ：Packet Data Convergence Protocol）レイヤ、無線リンク制御（ＲＬＣ：Radio Link Control）レイヤ、媒体アクセス制御（ＭＡＣ：Medium Access Control）レイヤ、および物理（ＰＨＹ）レイヤが、ＤＵまたはＣＵ（たとえば、それぞれＴＲＰまたはＡＮＣ）に適応的に配置され得る。いくつかの態様によれば、ＢＳは、中央ユニット（ＣＵ）（たとえば、ＡＮＣ２０２）および／または１つもしくは複数の分散型ユニット（たとえば、１つまたは複数のＴＲＰ２０８）を含み得る。
【００３８】
[0049]  図３は、本開示の態様による、分散型ＲＡＮ３００の例示的な物理アーキテクチャを示す。集中型コアネットワークユニット（Ｃ−ＣＵ：centralized core network unit）３０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ：advanced wireless service）に）オフロードされ得る。
【００３９】
[0050]  集中型ＲＡＮユニット（Ｃ−ＲＵ：centralized RAN unit）３０４は、１つまたは複数のＡＮＣ機能をホストし得る。随意に、Ｃ−ＲＵは、ローカルにコアネットワーク機能をホストし得る。Ｃ−ＲＵは分散型展開を有し得る。Ｃ−ＲＵはネットワークエッジにより近いことがある。
【００４０】
[0051]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能性をもつネットワークのエッジに位置し得る。
【００４１】
[0052]  図４は、本開示の態様を実装するために使用され得る、図１に示されているＢＳ１１０およびＵＥ１２０の例示的な構成要素を示す。上記で説明されたように、ＢＳはＴＲＰを含み得る。ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ２２２、プロセッサ（processor）４６６、４５８、４６４、および／もしくはコントローラ／プロセッサ４８０ならびに／またはＢＳ１１０のアンテナ４３４、プロセッサ４６０、４２０、４３８、および／もしくはコントローラ／プロセッサ４４０が、本明細書で説明され、図９Ａ〜図９Ｂおよび図１１Ａ〜図１１Ｂを参照しながら示される動作を実施するために使用され得る。
【００４２】
[0053]  態様によれば、制限付き関連付けシナリオの場合、基地局１１０は図１中のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００４３】
[0054]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ：Physical Broadcast Channel）、物理制御フォーマットインジケータチャネル（ＰＣＦＩＣＨ：Physical Control Format Indicator Channel）、物理ハイブリッドＡＲＱインジケータチャネル（ＰＨＩＣＨ：Physical Hybrid ARQ Indicator Channel）、物理ダウンリンク制御チャネル（ＰＤＣＣＨ：Physical Downlink Control Channel）などのためのものであり得る。データは物理ダウンリンク共有チャネル（ＰＤＳＣＨ：Physical Downlink Shared Channel）などのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。各変調器４３２は、出力サンプルストリームを取得するために、（たとえば、ＯＦＤＭなどのための）それぞれの出力シンボルストリームを処理し得る。各変調器４３２は、さらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４４】
[0055]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００４５】
[0056]  アップリンク上では、ＵＥ１２０において、送信プロセッサ４６４が、データソース４６２から（たとえば、物理アップリンク共有チャネル（ＰＵＳＣＨ：Physical Uplink Shared Channel）のための）データを受信し、処理し得、コントローラ／プロセッサ４８０から（たとえば、物理アップリンク制御チャネル（ＰＵＣＣＨ：Physical Uplink Control Channel）のための制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に与え、復号された制御情報をコントローラ／プロセッサ４４０に与え得る。
【００４６】
[0057]  コントローラ／プロセッサ４４０および４８０は、それぞれ基地局１１０およびＵＥ１２０における動作を指示し得る。基地局１１０におけるプロセッサ４４０ならびに／または他のプロセッサおよびモジュールは、たとえば、図６に示される機能ブロックの実行、および／または本明細書で説明される技法のための他のプロセスの実行を、実施または指示し得る。ＵＥ１２０におけるプロセッサ４８０ならびに／または他のプロセッサおよびモジュールもまた、たとえば、図７に示される機能ブロックの実行、および／または本明細書で説明される技法のための他のプロセスの実行を、実施または指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００４７】
[0058]  図５は、本開示の態様による、通信プロトコルスタックを実装するための例を示す図  ５００を示す。示されている通信プロトコルスタックは、５Ｇシステム（たとえば、アップリンクベースのモビリティをサポートするシステム）においてにおいて動作するデバイスによって実装され得る。図  ５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを示す。様々な例では、プロトコルスタックのレイヤは、ソフトウェアの別個のモジュール、プロセッサもしくはＡＳＩＣの部分、通信リンクによって接続されたコロケート（collocate）されていないデバイスの部分、またはそれらの様々な組合せとして実装され得る。コロケートされた実装形態およびコロケートされていない実装形態は、たとえば、ネットワークアクセスデバイス（たとえば、ＡＮ、ＣＵ、および／またはＤＵ）またはＵＥのためのプロトコルスタックにおいて使用され得る。
【００４８】
[0059]  第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００４９】
[0060]  第２のオプション５０５−ｂは、プロトコルスタックが、単一のネットワークアクセスデバイス（たとえば、アクセスノード（ＡＮ：access node）、新無線基地局（ＮＲ  ＢＳ）、新無線ノードＢ（ＮＲ  ＮＢ）、ネットワークノード（ＮＮ：network node）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００５０】
[0061]  ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００５１】
[0062]  図６は、図１からのワイヤレス通信システム内で採用され得るワイヤレス通信デバイス６０２中で利用され得る様々な構成要素を示す。ワイヤレス通信デバイス６０２は、たとえばポーラ符号のためのＭＬ復号の探索空間を縮小するために、本明細書で説明される様々な方法を実装するように構成され得るデバイスの例である。ワイヤレス通信デバイス６０２は、図１からのＢＳ１１０、または、ユーザ機器１２０のいずれかであり得る。
【００５２】
[0063]  ワイヤレス通信デバイス６０２は、ワイヤレス通信デバイス６０２の動作を制御するプロセッサ６０４を含み得る。プロセッサ６０４はまた、中央処理装置（ＣＰＵ）と呼ばれることもある。メモリ６０６は、読取り専用メモリ（ＲＯＭ）とランダムアクセスメモリ（ＲＡＭ）の両方を含み得、命令（instruction）およびデータをプロセッサ６０４に提供する。メモリ６０６の一部はまた、不揮発性ランダムアクセスメモリ（ＮＶＲＡＭ）を含み得る。プロセッサ６０４は一般的に、メモリ６０６内に記憶されたプログラム命令に基づいて論理演算および算術演算を実施する。メモリ６０６中の命令は、本明細書で説明される方法を実装するために実行可能であり得る。
【００５３】
[0064]  ワイヤレス通信デバイス６０２は筐体６０８も含んでよく、筐体６０８は、ワイヤレス通信デバイス６０２とリモート位置との間でのデータ送受信を可能にするために、送信機６１０と受信機６１２とを含み得る。送信機６１０および受信機６１２は、結合されて送受信機６１４とされることもある。単一または複数の送信アンテナ６１６が、筐体６０８に取り付けられて送受信機６１４に電気的に結合され得る。ワイヤレス通信デバイス６０２はまた、複数の送信機と、複数の受信機と、複数の送受信機とを含み得る（図示せず）。
【００５４】
[0065]  ワイヤレス通信デバイス６０２はまた、送受信機６１４によって受信された信号のレベルを検出および定量化しようとするのに使用され得る信号検出器６１８を含み得る。信号検出器６１８は、総エネルギー、シンボルごとのサブキャリアごとのエネルギー、パワースペクトル密度、および他の信号、などの信号を検出し得る。ワイヤレス通信デバイス６０２はまた、信号を処理する際に使用されるデジタル信号プロセッサ（ＤＳＰ）６２０を含み得る。
【００５５】
[0066]  加えて、ワイヤレス通信デバイス６０２はまた、送信のために信号を符号化する際に使用される符号化器６２２を含み得る。たとえば、いくつかの場合には、符号化器６２２は、第１の１つまたは複数のビットを情報ストリームの位置に分配する／割り当てるように構成され得、第１の１つまたは複数のビットは、情報ストリーム中の１つまたは複数の第２のビットのビット値と、情報ストリームのサイズとのうちの少なくとも一方を示す。
【００５６】
[0067]  さらに、ワイヤレス通信デバイス６０２はまた、本明細書で提示される技法を使用して符号化された受信信号を復号する際に使用される復号器６２４を含み得る。たとえば、いくつかの場合には、復号器６２４は、コードワード（codeword）の第１の部分を復号するように構成され得、コードワードの第１の部分は、情報ストリーム中の、第１の１つまたは複数のビットが割り当てられた位置に対応し、第１の１つまたは複数のビットは、情報ストリーム中の１つまたは複数の第２のビットのビット値と、情報ストリームのサイズとのうちの少なくとも一方を示す。復号器６２４はまた、第１の１つまたは複数のビットに少なくとも部分的に基づいて１つまたは複数の第２のビットのビット値を決定し、１つまたは複数の第２のビットの決定されたビット値に基づいてコードワードの残りの部分を復号するように構成され得る。
【００５７】
[0068]  ワイヤレス通信デバイス６０２の様々な構成要素は、バスシステム６２６によって共に結合され得、バスシステム６２６は、データバスに加えて、電力バス、制御信号バス、およびステータス信号バスを含み得る。プロセッサ６０４は、以下で説明される本開示の態様により、コネクションレスアクセス（connectionless access）を実施するためにメモリ６０６に記憶された命令にアクセスするように構成され得る。
【００５８】
[0069]  図７は、ワイヤレスネットワーク１００中で通信するために１つまたは複数のデバイス（たとえば、ＢＳ１１０および／またはＵＥ１２０）によって使用され得るＤＬセントリックサブフレームの例を示す図７００である。ＤＬセントリックサブフレームは制御部分（control portion）７０２を含み得る。制御部分７０２は、ＤＬセントリックサブフレームの初期または開始部分中に存在し得る。制御部分７０２は、ＤＬセントリックサブフレームの様々な部分に対応する様々なスケジューリング情報および／または制御情報を含み得る。いくつかの構成では、制御部分７０２は、図７に示されているように、物理ＤＬ制御チャネル（ＰＤＣＣＨ：physical DL control channel）であり得る。ＤＬセントリックサブフレームは、ＤＬデータ部分（DL data portion）７０４をも含み得る。ＤＬデータ部分７０４は、時々、ＤＬセントリックサブフレームのペイロードと呼ばれることがある。ＤＬデータ部分７０４は、スケジューリングエンティティ（たとえば、ＵＥまたはＢＳ）から下位エンティティ（たとえば、ＵＥ）にＤＬデータを通信するために利用される通信リソースを含み得る。いくつかの構成では、ＤＬデータ部分７０４は、物理ＤＬ共有チャネル（ＰＤＳＣＨ：physical DL shared channel）であり得る。
【００５９】
[0070]  ＤＬセントリックサブフレームは、共通ＵＬ部分（common UL portion）７０６をも含み得る。共通ＵＬ部分７０６は、時々、ＵＬバースト、共通ＵＬバースト、および／または様々な他の好適な用語で呼ばれることがある。共通ＵＬ部分７０６は、ＤＬセントリックサブフレームの様々な他の部分に対応するフィードバック情報を含み得る。たとえば、共通ＵＬ部分７０６は、制御部分７０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分７０６は、ランダムアクセスチャネル（ＲＡＣＨ：random access channel）プロシージャに関係する情報、スケジューリング要求（ＳＲ：scheduling request）、および様々な他の好適なタイプの情報など、追加または代替の情報を含み得る。図７に示されているように、ＤＬデータ部分７０４の終端は、共通ＵＬ部分７０６の始端から時間的に分離され得る。この時間分離（time separation）は、時々、ギャップ、ガード期間、ガードインターバル、および／または様々な他の好適な用語で呼ばれることがある。この分離は、ＤＬ通信（たとえば、下位エンティティ（たとえば、ＵＥ）による受信動作）からＵＬ通信（たとえば、下位エンティティ（たとえば、ＵＥ）による送信）へのスイッチオーバーのための時間を与える。当業者は、上記が、ＤＬセントリックサブフレームの一例にすぎず、同様の特徴を有する代替構造が、本明細書で説明される態様から必ずしも逸脱することなしに存在し得ることを理解するであろう。
【００６０】
[0071]  図８は、ワイヤレスネットワーク１００中で通信するために１つまたは複数のデバイス（たとえば、ＢＳ１１０および／またはＵＥ１２０）によって使用され得るＵＬセントリックサブフレームの例を示す図８００である。ＵＬセントリックサブフレームは制御部分８０２を含み得る。制御部分８０２は、ＵＬセントリックサブフレームの初期または開始部分中に存在し得る。図８中の制御部分８０２は、図７を参照しながら上記で説明された制御部分と同様であり得る。ＵＬセントリックサブフレームは、ＵＬデータ部分（UL data portion）８０４をも含み得る。ＵＬデータ部分８０４は、時々、ＵＬセントリックサブフレームのペイロードと呼ばれることがある。ＵＬ部分は、下位エンティティ（たとえば、ＵＥ）からスケジューリングエンティティ（たとえば、ＵＥまたはＢＳ）にＵＬデータを通信するために利用される通信リソースを指し得る。いくつかの構成では、制御部分８０２は、物理ＤＬ制御チャネル（ＰＤＣＣＨ）であり得る。
【００６１】
[0072]  図８に示されているように、制御部分８０２の終端は、ＵＬデータ部分８０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）へのスイッチオーバーのための時間を与える。ＵＬセントリックサブフレームは、共通ＵＬ部分８０６をも含み得る。図８中の共通ＵＬ部分８０６は、図８を参照しながら上記で説明された共通ＵＬ部分８０６と同様であり得る。共通ＵＬ部分８０６は、追加または代替の、チャネル品質インジケータ（ＣＱＩ：channel quality indicator）に関係する情報、サウンディング基準信号（ＳＲＳ：sounding reference signal）、および様々な他の好適なタイプの情報を含み得る。当業者は、上記が、ＵＬセントリックサブフレームの一例にすぎず、同様の特徴を有する代替構造が、本明細書で説明される態様から必ずしも逸脱することなしに存在し得ることを理解するであろう。
【００６２】
[0073]  いくつかの状況では、２つまたはそれ以上の下位エンティティ（たとえば、ＵＥ）が、サイドリンク信号（sidelink signal）を使用して互いと通信し得る。そのようなサイドリンク通信の現実世界の適用例は、公共安全、近接サービス、ＵＥネットワーク間中継、車両間（Ｖ２Ｖ：vehicle-to-vehicle）通信、あらゆるモノのインターネット（ＩｏＥ）通信、ＩｏＴ通信、ミッションクリティカルなメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある下位エンティティ（たとえば、ＵＥ１）から別の下位エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトル（licensed spectrum）を使用して通信され得る。
【００６３】
[0074]  ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、もしくはＤＵ、またはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスの監視セットのメンバーであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。
【００６４】
[0075]  ５Ｇ新無線（ＮＲ）では、非周期的なチャネル状態情報（ＣＳＩ）レポートが、基地局からユーザ機器に送信されるＣＳＩレポートトリガによってトリガされる。ＣＳＩレポートトリガは、ＣＳＩ報告を実施するためのタイミングおよび割り振られたリソースを、ＵＥに対して示す。いくつかの場合には、ＣＳＩレポートがＵＥによって物理アップリンク共有チャネル（ＰＵＳＣＨ）を介して送信されるとき、ＣＳＩレポートトリガは、リソース割振り（ＲＡ：resource allocation）情報を含むおよびアップリンク（ＵＬ）グラント（grant）を介して送られてよく、ＵＥは、ＲＡ情報から、ＣＳＩレポートの実施にどのリソースが使用されるかを認識する。態様によれば、ＣＳＩレポートは、ＣＳＩ基準信号チャネルインジケータ（ＣＲＩ）と、ランクインジケータ（ＲＩ：rank indicator）と、チャネル品質情報（ＣＱＩ）と、プリコーディング行列インジケータ（ＰＭＩ：precoding matrix indicator）とを含み得る。ＰＭＩはさらに、ワイドバンドＰＭＩ（ＷＢ  ＰＭＩ）またはサブバンドＰＭＩ（ＳＢ  ＰＭＩ）に類別されることが可能である。タイプＩＩ一次結合コードブックの場合、ＷＢ  ＰＭＩは、回転標識と、ビーム標識と、ワイドバンド振幅標識と、最強ビーム標識とを含む。ＳＢ  ＰＭＩは、サブバンド振幅インジケータとサブバンド位相インジケータとを含む。
【００６５】
[0076]  いくつかの場合には、ＣＲＩ、ＲＩ、およびＣＱＩのペイロードサイズは固定であり、ＰＭＩ（特にサブバンドＰＭＩ）ペイロードサイズは、報告されるＲＩに応じて変動し得る。この態様から、ＣＳＩ報告は、２つまたは３つの部分に分割され得、ＣＳＩフィードバックの第１の部分は、ペイロードが固定であるＣＲＩ／ＲＩ／ＣＱＩを含み、ＣＳＩフィードバックの第２および第３の部分は、ペイロードサイズが第１の部分に依存するＰＭＩを含む（第３の部分は第２の部分にも依存し得る）。以下の表１は、ＣＳＩフィードバックが２つまたは３つの部分に区分化されて各部分中で情報が搬送され得るときの、異なるシナリオを示す。
【００６６】
【表１】
2020536435.tif 000003
【００６７】
＜ＮＲ−ＭＩＭＯのための例示的な単一パケット符号化ＣＳＩ設計＞
[0077]  上記で説明されたように、ＣＳＩ報告に利用可能な情報ペイロードビットのサイズは変動し得る。残念ながら、この変動性は課題を提示することがある。たとえば、変動性は、可能な復号候補の数が増加するため、異なるサイズのペイロードに必要なブラインド復号（blind decode）の回数を増加させる。さらに、異なるサイズのペイロードに対応することは、結果として、パケットサイズまたは符号化方法を決定するときに他の課題ももたらすことがある。
【００６８】
[0078]  いくつかの場合には、ＣＳＩは、短いＰＵＣＣＨ上で送られ得る。たとえば、ＰＵＣＣＨは、ワイドバンドおよび部分的帯域の報告に使用され得る（たとえば、ＣＳＩ報告帯域中のすべてのサブバンドに対して１つのＣＳＩ）。いくつかの場合には、ブラインド復号を制限するために、所与のスロット中でＲＩ／ＣＲＩにかかわらず同じパケットサイズが使用され得る。しかし、情報ペイロードのサイズは、ＣＳＩ−ＲＳリソースセット内で構成されたＣＳＩ−ＲＳリソースのＣＳＩ−ＲＳポートの最大数に従って、異なり得る。これはまた、符号化技法にも影響を及ぼすことがある。たとえば、ＰＭＩおよびＣＱＩペイロードサイズがＲＩ／ＣＲＩに応じて変動するとき、異なるＲＩ／ＣＲＩ値に関連付けられたペイロード長を均等化するために、符号化の前（最中または後）に、ＲＩ／ＣＲＩ／ＰＭＩ／ＣＱＩフィールドの１つまたは複数にパディングビット（padding bit）が加えられ得る。いくつかの場合には、必要時のパディングビットに加えて、ＲＩ／ＣＲＩ／ＰＭＩ／ＣＱＩのためのビットが合同で符号化され得る。
【００６９】
[0079]  しかしながら、本開示の態様は、異なるＣＳＩ−ＲＳリソースセットについての変動する情報ペイロードサイズによって提示される課題に対処する助けとなり得るソリューションを提供する。この対処は、たとえば、ペイロードサイズおよび符号化方法をＣＳＩ報告構成に従って決定することによって行われる。
【００７０】
[0080]  図９は、ワイヤレス通信のための例示的な動作９００を示す。動作９００は、たとえば、本開示のいくつかの態様による、チャネル状態情報報告のためにＵＥによって実施され得る。同様の動作が、たとえばＵＥからのＣＳＩレポートを処理するのに使用されるパケットサイズおよび符号化を決定するために、基地局（たとえばｇＮＢ）側でも実施され得る。
【００７１】
[0081]  動作９００は、９０２において、サポートされるランクに少なくとも部分的に基づいてチャネル状態情報（ＣＳＩ）報告のためのペイロードサイズを決定することで開始する。９０４において、ＵＥは、決定されたペイロードサイズに基づいてＣＳＩ報告のためのパケット長を計算する。９０６において、ＵＥは、コーディングされたパケットを生成するために、ペイロードサイズおよび計算されたパケット長に基づいて、選択されたＣＳＩリソースインデックス（ＣＲＩ）についてＣＳＩを符号化する。
【００７２】
[0082]  いくつかの場合には、Ｋ個のＣＲＩ仮定が考慮され得る（たとえば、ＣＲＩインデックス値ｍが１≦ｍ≦Ｋとなるような）。アンテナポート構成Ｐmを伴う各ＣＲＩ（インデックスｍ）につき、サポートされる最大ランクＲmが、以下によって決定され得る（ステップ９０２により）。
【００７３】
【数１】
2020536435.tif 000004
【００７４】
ここで、ｍはＣＲＩインデックスであり、Ｐmは（Ｎ１，Ｎ２）個のアンテナポートとすることができる。ＵＥ＿ｒａｎｋ＿ｃａｐａｂｉｌｉｔｙは、高レイヤシグナリングを介して提供され得る事前定義済みの値であってよく、ｐｏｒｔ＿ｒａｎｋ＿ｃａｐａｂｉｌｉｔｙは、ポート構成に依存する値（たとえば、タイプ−Ｉ  ＣＳＩフィードバックの場合、ｐｏｒｔ＿ｒａｎｋ＿ｃａｐａｂｉｌｉｔｙ＝２×Ｎ１×Ｎ２）である。
【００７５】
[0083]  いくつかの場合には、インデックスｍを伴うＣＲＩについての最大ペイロードサイズＪmは、以下のように決定され得る。
【００７６】
【数２】
2020536435.tif 000005
【００７７】
ここで、
【００７８】
【数３】
2020536435.tif 000006
【００７９】
およびＣＱＩRは、それぞれ、ランクＲおよびポート構成Ｐmについてのワイドバンドとサブバンド（ｉ１部分とｉ２部分）の両方のＰＭＩを含む合計ＰＭＩビット、および、ランクＲについてのＣＱＩビットである。同じリソースセット中のＣＳＩ−ＲＳリソースに対するポートの数が同じである場合は、ＪmはすべてのＣＲＩについて同じであり得ることに留意されたい（その場合、インデックス下付き文字ｍは省略されることが可能である）。
【００８０】
[0084]  いくつかの場合には、所与のＲmについての
【００８１】
【数４】
2020536435.tif 000007
【００８２】
が、表として提供され得る。たとえば、図１０は、ＮＲ−ＭＩＭＯのタイプＩ  ＣＳＩに関する例示的なペイロードサイズ表を示し、この表は、所与の（Ｎ１，Ｎ２）および「モード（Mode）」構成についてのＰＭＩおよびＣＱＩを含む。示されている例では、４以上のレイヤの場合のＣＱＩは４ビットを仮定し、４未満のレイヤでは７ビットを仮定することに留意されよう。
【００８３】
[0085]  情報ペイロードサイズが与えられれば、パケット長Ｊは、たとえば以下のように計算され得る。
【００８４】
【数５】
2020536435.tif 000008
【００８５】
情報ペイロードサイズおよびパケット長が与えられれば、パケットは、必要ならパディングビットを使用して、符号化され得る。たとえば、選択されたＣＲＩｍ、ランクＲについて、
【００８６】
【数６】
2020536435.tif 000009
【００８７】
ならば、
【００８８】
【数７】
2020536435.tif 000010
【００８９】
個のパディングされるビットを使用してパケット長が均等化され得る。
いくつかの場合には、Ｋ＝１では、
【００９０】
【数８】
2020536435.tif 000011
【００９１】
を含むＣＲＩフィールド（field）が省略されることが可能であり、Ｒm＝１では、
【００９２】
【数９】
2020536435.tif 000012
【００９３】
を含むＲａｎｋフィールドが省略され得る。
【００９４】
[0086]  いくつかの場合には、ＲＩフィールドに対する制約があることがあり、この制約は、選択されたＣＲＩｍについてのパケット長および／または符号化の決定に影響を及ぼすことがある。そのような場合、ＲＩフィールドのペイロードサイズが、まず以下のように決定され得る。
【００９５】
【数１０】
2020536435.tif 000013
【００９６】
最大ペイロードは上記のように決定され得、パケット長Ｊの決定は、ＲＩフィールドのペイロードサイズＪRに依存し得る。
【００９７】
【数１１】
2020536435.tif 000014
【００９８】
パケット長およびＲＩフィールドペイロードサイズが与えられれば、パケットは、上記で説明されたように（必要に応じてパディング（padding）を用いて）符号化され得る。たとえば、選択されたＣＲＩｍ、ランクＲについて、
【００９９】
【数１２】
2020536435.tif 000015
【０１００】
ならば、
【０１０１】
【数１３】
2020536435.tif 000016
【０１０２】
個のパディングされるビットを使用してＲＩビットフィールドが均等化され得、
【０１０３】
【数１４】
2020536435.tif 000017
【０１０４】
ならば、
【０１０５】
【数１５】
2020536435.tif 000018
【０１０６】
個のパディングされるビットを使用してパケット長が均等化され得る。
【０１０７】
[0087]  いくつかの場合には、パケットは、パディングされるビットを用いる合同符号化（joint encoding）を使用して符号化され得る。たとえば、ＣＲＩ／ＲＩが合同で符号化される場合は、合同で符号化されたＣＲＩ／ＲＩビットは、パディングされるビットをパケット長の均等化のために追加することによって、ＰＭＩ／ＣＱＩビットと連結され得る。合同で符号化されたＣＲＩ／ＲＩフィールドは、以下を有し得る。
【０１０８】
【数１６】
2020536435.tif 000019
【０１０９】
ビット
ＰＭＩ／ＣＱＩフィールドは、以下を有し得る。
【０１１０】
【数１７】
2020536435.tif 000020
【０１１１】
ビット
選択されたＣＲＩｍ、ランクＲについて、
【０１１２】
【数１８】
2020536435.tif 000021
【０１１３】
ならば、
【０１１４】
【数１９】
2020536435.tif 000022
【０１１５】
個のパディングされるビットを使用してパケット長が均等化される。
【０１１６】
[0088]  たとえばＣＳＩ報告のタイプに応じて、ＣＳＩのいくつかの部分は省略され得る。例として、部分的ＰＭＩおよび半開ループＣＳＩ報告の場合、ＣＳＩレポートは、タイプＩ単一パネルコードブックを使用するｉ１部分のみからなるＰＭＩとＣＲＩ／ＲＩとを含み得る（ｉ１は一般に、変数の組合せ｛ｉ１，１、およびｉ１，２｝または｛ｉ１，１、ｉ１，２、およびｉ１，３｝を識別する）。ペイロードサイズ決定および符号化について上記で説明された技法では、いくつかの場合には、ＣＱＩ部分は無視（省略）され得、ＰＭＩのｉ２部分もまた無視され得る。
【０１１７】
[0089]  いくつかの場合には、ＣＳＩ報告は、タイプＩ単一パネルコードブックを使用するｉ１のみからなるＰＭＩとＣＱＩとＣＲＩ／ＲＩとを含み得、ＣＱＩの算出はＮｐ≧１個のプリコーダ（precoder）を用いるＰＤＳＣＨ送信を仮定し、ｗｈｅｒ、ＵＥは、ＰＤＳＣＨ上の各プリコーディングリソースブロックグループ（ＰＲＧ：precoding resource block group）につき、Ｎｐ個のプリコーダのセットから１つのプリコーダがランダムに選択されると仮定することができる。ＣＳＩフィードバックにおけるＰＲＧサイズは、ＲＲＣによって構成され得る。ＣＱＩ計算のためのＮｐ個のプリコーダのセットは、コードブックサブセット制限によって示され得る。そのような場合、長い／短いＰＵＣＣＨ上での報告のためにワイドバンドＣＳＩ報告が構成される場合は、上記のペイロードサイズ決定および符号化のソリューションでは、ＰＭＩのｉ２部分は無視され得る。サブバンドＣＳＩフィードバックが構成され、最大サポートランク（maximum supported rank）が４以内である場合、ＵＥ能力およびポート構成に基づいて、単一パケット送信が無視され得、上記のソリューションが適用され得、この場合、ＰＭＩのｉ２部分は無視され得る。
【０１１８】
[0090]  いくつかの場合には、ＣＳＩビットの符号化順序は、情報ビットへの何らかのマッピングに基づくことがある。たとえば、図１１に示されるように、可変長の部分的ＣＳＩの合同符号化の場合、コーディングされたパケット中へのＣＳＩビットの配置はビット昇順得る。たとえば、少なくともポーラコーディング（polar coding）の場合、ＣＳＩのソースビットは、ｕ領域中の選択された情報ビット位置（information bit location）に昇順で（in ascending order）マッピングされ得る。
【０１１９】
[0091]  上記で説明された技法は、長いまたは短い物理アップリンク制御チャネル（ＰＵＣＣＨ）上または物理アップリンク共有チャネル（ＰＵＳＣＨ）上の両方でのＣＳＩ報告に等しく適用され得ることに留意されたい。さらに、上記で説明された技法はまた、非周期的、半持続的、または周期的なＣＳＩ報告のいずれにも等しく適用され得る。
【０１２０】
[0092]  明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１２１】
[0093]  本明細書で使用される「決定すること（determining）」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【０１２２】
[0094]  いくつかの場合には、デバイスは、フレームを実際に送信するのではなく、送信のためにフレームを出力するためのインターフェースを有し得る。たとえば、プロセッサが、バスインターフェースを介して、送信のためにＲＦフロントエンドにフレームを出力し得る。同様に、デバイスは、フレームを実際に受信するのではなく、別のデバイスから受信されたフレームを取得するためのインターフェースを有し得る。たとえば、プロセッサが、バスインターフェースを介して、送信のためにＲＦフロントエンドからフレームを取得（または受信）し得る。
【０１２３】
[0095]  上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１２４】
[0096]  たとえば、送信するための手段、受信するための手段、決定するための手段、実施するための手段、および／または再送信するための手段が、ＢＳ１１０またはＵＥ１２０における１つまたは複数のプロセッサまたはアンテナを備えてよく、これらは、ＢＳ１１０における送信プロセッサ４２０、コントローラ／プロセッサ４４０、受信プロセッサ４３８、もしくはアンテナ４３４、および／または、ＵＥ１２０における送信プロセッサ４６４、コントローラ／プロセッサ４８０、受信プロセッサ４５８、もしくはアンテナ４５２などである。
【０１２５】
[0097]  本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つもしくは複数のマイクロプロセッサ、または任意の他のそのような構成として実装され得る。
【０１２６】
[0098]  ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ機器１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能性を最も良く実装し得るかを理解されよう。
【０１２７】
[0099]  ソフトウェアで実装される場合、機能は、１つもしくは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体とコンピュータ通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは他の好適な記憶媒体、またはそれらの任意の組合せを含み得る。機械可読媒体はコンピュータプログラム製品において実施され得る。
【０１２８】
[0100]  ソフトウェアモジュールは、単一の命令または多数の命令を備え得、いくつかの異なるコードセグメント上で、異なるプログラム間で、および複数の記憶媒体にわたって分散され得る。コンピュータ可読媒体は、いくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【０１２９】
[0101]  また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（non-transitory computer-readable media）（たとえば、有形媒体（tangible media））を備え得る。加えて、他の態様では、コンピュータ可読媒体は、一時的コンピュータ可読媒体（たとえば、信号）を備え得る。上記の組合せもコンピュータ可読媒体の範囲内に含まれるべきである。
【０１３０】
[0102]  さらに、本明細書で説明される方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明される方法を実施するための手段の転送を可能にするためにサーバに結合され得る。代替的に、本明細書で説明される様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明される方法および技法をデバイスに提供するための任意の他の好適な技法が利用され得る。
【０１３１】
[0103]  特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
【図１】
2020536435.tif 000023
【図２】
2020536435.tif 000024
【図３】
2020536435.tif 000025
【図４】
2020536435.tif 000026
【図５】
2020536435.tif 000027
【図６】
2020536435.tif 000028
【図７】
2020536435.tif 000029
【図８】
2020536435.tif 000030
【図９】
2020536435.tif 000031
【図１０】
2020536435.tif 000032
【図１１】
2020536435.tif 000033
【国際調査報告】
2020536435.tif 000034
2020536435.tif 000035